(57)【要約】【課題】一般的な家庭に普及しているプリンタやWebカメラといった機器を利用することで、安価に書類群の電子データ化を実現する電子データ作成装置を提供する。【解決手段】プリンタの用紙排出部に設置でき、かつ、書類群の幅に合わせて調整可能な書類群ガイド部と、排出された書類群を静止させる書類群静止部と、静止した書類群を撮影するためのWebカメラなどの撮像装置を撮像装置の焦点に合わせて調整可能に設置できる撮像装置設置部とを備える。【選択図】図１
2013243430.tif 000002
【特許請求の範囲】
【請求項１】
書類群の幅に合わせて調整可能な書類群ガイド部と、
排出された書類群を静止させる書類群静止部と、
静止した書類群を撮影するため撮像装置を設置できる撮像装置設置部と
を備えたことを特徴とする電子データ作成装置。
【請求項２】
請求項1記載の電子データ作成装置において、
更に、書類群を撮影可能な場所まで書類群を配送する書類群配送部を備えた
ことを特徴とする電子データ作成装置。
【請求項３】
請求項1、2に記載の電子データ作成装置において、
更に、撮像装置で撮影するタイミングを設定可能な画像保存タイマー部を備えた
ことを特徴とする電子データ作成装置。
【請求項４】
請求項1〜3に記載の電子データ作成装置において、
撮像装置で得られる画像を監視し、画像に変化があったタイミングを検知する画像変化検知部を更に備え、
画像の変化が検知された瞬間から所定の時間後の画像を保存するようにした
ことを特徴とする電子データ作成装置。
【発明の詳細な説明】
【技術分野】
【０００１】
近年、スマートフォンやタブレットPCなどの電子機器の普及に伴い、紙媒体で所有している書籍を電子データ化し、電子機器に記録させて持ち歩きたとか、家の中で本に占有されているスペースを有効活用したいといった要望が高まっている。
また、書籍に限らず、写真や年賀状など様々な紙媒体を電子化したいという要望がある。
こういった要望を実現する装置として、書籍の背表紙を裁断して1枚ずつにバラバラにしたもの(以下、書類群と呼ぶ)をセットすることにより、書籍のページを1枚ずつ取り出してスキャンする専用のスキャナや、フラットベッドタイプのスキャナに書籍のページを1枚ずつ供給する装置(ADF)が用いられている。
【先行技術文献】
【特許文献】
【０００２】
【特許文献１】特開２００８−６６９６１号公報
【発明の概要】
【発明が解決しようとする課題】
【０００３】
しかし、専用のスキャナやADFは、高価なものが多い。
これらの専用機器の中で、比較的安価なものでは、セットできる紙の大きさや枚数が制限されることが多い。
また、専用のスキャナは、書類や書籍を電子データ化する為だけにスペースを占有することになる。
ADFが取り付けられるスキャナは、多種多様なスキャナのうちの極一部であるため、ADFを使用するためには、スキャナの品質や、装置の専有スペース、その他の付加機能などの選択肢が大きく制限されることになる。
こういった課題は、使用頻度の多い業務用途やヘビーユーザにとっては、それ程問題にならないが、書籍の購入数が多くなく使用頻度の少ない一般家庭にとっては、書籍を電子データ化して、スペースの有効活用を促進する妨げになっていた。
本発明は、こういった課題を鑑みてなされたものであり、一般的な家庭に普及している機器を利用することで、安価に書類群の電子データ化を実現する電子データ作成装置を提供する。
【課題を解決するための手段】
【０００４】
本発明では、書類群をセットして、1枚ずつ取り出す機能として一般家庭で使用されているプリンタを利用する。
更に、書類群の画像を撮影して電子化する機能として、一般家庭で使用されているWebカメラややデジタルカメラまたはビデオカメラを利用する。
【０００５】
一般家庭に普及しているプリンタでは、A4までの様々な用紙のサイズや厚さに対応し、100枚以上の連続給紙が可能なものが多い。
また、2枚以上の用紙を1回で送ってしまうといったトラブルは少なく、正確に1枚ずつ排出することが可能である。
この機能を利用することで、書類群を電子データ化する時の最大の問題である1枚ずつ連続して処理するという操作を実行することができる。
プリンタに接続されたパソコンで、エディタなどのソフトウェアを起動して、白紙のデータを書類群の枚数以上印刷するという操作するだけで、書類群は1枚ずつに分けられて、排出される。
【０００６】
従って本発明は、プリンタの用紙排出部に設置でき、かつ、書類群の幅に合わせて調整可能な書類群ガイド部と、排出された書類群を静止させる書類群静止部と、静止した書類群を撮影するためのWebカメラなどの撮像装置を撮像装置の焦点に合わせて調整可能に設置できる撮像装置設置部とを備える。
【０００７】
現在ではプリンタ単独ではなく、スキャナなどの機能を合わせ持つ複合機が主流になっているが、複合機では、用紙排出部の上にスキャナや操作用のパネルが設置されている場合も多く、排出された書類群を直接撮影できないことがある。
そこで、本発明では、更に、プリンタから排出された書類群を撮影可能な場所まで配送する書類群配送部を備えるようにしてもいい。
こうすることで、本発明は、プリンタだけに留まらず、複合機やファックスといった機器にも適用することができる。
【０００８】
また、Webカメラなどの撮像装置で書類群を撮影する場合には、撮影のタイミングを誤ってしまうと書類群の全体を撮影することに失敗し、書類群の下半分などの画像しか残せない可能性がある。
そこで、本発明では、更に、撮像装置で撮影するタイミングをプリンタが排出する周期に合わせるように設定可能な画像保存タイマー部を備えるようにしてもいい。
【０００９】
あるいは、撮像装置で得られる画像を監視し、画像に変化があったタイミングを検知する画像変化検知部を更に備え、画像の変化が検知された瞬間から所定の時間後の画像を保存するように画像保存タイマー部を動作させてもいい。
このような機能を持たせることにより、プリンタから排出された書類群をずれなく撮影することが可能となる。
画像保存タイマー部は、一般的なパーソナルコンピュータ上で動作させてもいいし、デジタルカメラやビデオカメラがもつセルフタイマー機能を利用してもいい。
【発明の効果】
【００１０】
本発明によれば、複数の書類や書籍に対して、専用のスキャナを使わなくても、一般家庭に普及しているプリンタや複合機などを利用して1枚ずつ送り、Webカメラやデジタルカメラなどを利用して電子データ化することで、安価に電子データ化することが可能になる。
【図面の簡単な説明】
【００１１】
【図１】本発明に係る装置の斜視図
【図２】本発明に係る第一の実施例を示すの側面図
【図３】本発明に係る第一の実施例を示すの平面図
【図４】本発明に係る第二の実施例を占めす側面図
【図５】本発明に係る装置のその他の実施例を示す側面図
【図６】本発明に係る装置のその他の実施例を示す斜視図
【図７】本発明に係る処理のフローチャート
【発明を実施するための形態】
【００１２】
本発明は、図1に示すように、書類群ガイド部1と、書類群静止部2と、撮像装置設置部3と、書類群配送部4と、画像保存タイマー部5と、画像変化検知部6と画像保存部7とを備える。
【実施例１】
【００１３】
書類群ガイド部1と書類群静止部2と撮像装置設置部3について、図2と図3を使って説明する。
書類群ガイド部1は、2枚の側面板11と、2枚の底板12と、それらの幅を調整可能に固定する長ネジ13とからなる。
底板は1枚であってもいいし、3枚以上であってもいい。
また、底板12は、図に示すように板の側面が書類群に当たるようにしてもいいし、平面で当たるようにすることもできる。
側面板11と底板12は長ネジ13にナット14で固定されているため、書類群の大きさに応じてナット14の場所を変えて、書類群ガイド部1の幅を調節することができる。
調節する際には、プリンタ側の幅を書類群の幅より若干広めにし、反対側を書類群の幅に合わせることにより、プリンタから排出される書類群の位置が多少ずれていても同じ位置にガイドし、ズレなく撮影することができるようになる。
また、プリンタ側に対して、反対側を低くすることで、書類群は書類群静止部2にぶつかるまで移動しズレなく撮影することができるようになる。
【００１４】
書類群静止部2は書類群ガイド部1に、書類群の長さに合わせて調節可能に固定される。
書類群静止部2をプリンタから離し過ぎてしまうと、プリンタから排出された書類群の勢いによって書類群静止部2まで届かない場合が出てしまい、正しく書類群を撮影することができない。
従って、書類群静止部2は書類群の長さに合わせて、プリンタから書類群の長さより若干長いぐらいの距離を離して固定することが望ましい。
【００１５】
撮像装置設置部3は、書類群ガイド部1の中間辺りに撮像装置9を固定できるように調節する。
用いる撮像装置の焦点距離に合わせて底板との距離を調整できるようにネジ穴に幅を持たせたり、ネジ穴を複数設けるようにする。
書類群の幅や長さが変わったときには撮像装置の位置も変更できる方が望ましい。
また、書類群の面に対して、撮像装置が傾いていると、撮影した際に書類群が台形に変形して写ってしまうため、撮像装置は角度も調節可能な方が望ましい。
ただし、解像度の高い撮像装置を用い、撮影後の後処理によって、撮影した画像の一部に写った書類群の部分をトリミングしたり、変形を補正して使うことも可能なため、この限りではない。
【実施例２】
【００１６】
書類群配送部4について、図4を用いて説明する。
図4は、書類群ガイド部1が2段に分かれており、1段目に書類配送部、2段目に書類群静止部2と撮像装置設置部3とを備えた例である。
書類群配送部4には、書類群を挟んで先へ送るためのローラ15と、そのローラ15を回転させるための駆動装置16を備える。
プリンタから1枚ずつ排出される書類群は書類群ガイド部1の途中に設置された書類群配送部4の回転するローラ15に取り込まれ、その先にある2段目へ送られる。
こうすることで、プリンタから排出された場所では書類群を撮影できない場合でも、本発明を適用することができる。
書類群ガイド部1を2段に分けることで、2段目に傾斜を付け易くなるため、書類群静止部2にぶつかる位置まで書類群を配送し易くなるが、この限りではなく、2段に分けなくてもいい。
例えば、書類群ガイド部1の側面板を図5に示すような形状にすることで、1段目と2段目を一体化することもできる。
または、図6に示すように、プリンタの側へ書類群静止部2を付けて、そちらに向けて傾斜を付けるようにしてもいい。
【００１７】
ローラ15の回転速度が速過ぎる場合にはプリンタから排出される書類群を無理やり引っ張ることになり、場合によっては、書類群を破ってしまう恐れもある。
逆にローラ15の回転速度が遅すぎる場合には、書類群がプリンタから出るのを妨げてしまい紙詰まりを起こしたり、書類群が折れ曲がるなどの不具合を起こす原因になる。
そのため、ローラ15を紙の排出速度に合わせて駆動装置16の動作速度を変更できるように可変抵抗器などを備える方が望ましい。
また、ローラ15の回転速度が多少速い場合でも、プリンタや書類群に負担をかけないように、ローラ15と書類群の間は適度の滑りが起こる方が望ましい。
ローラ表面と書類群の間では、プリンタが書類群を把持する力より小さい程度の摩擦力になるように、ローラ表面は摩擦係数が低い材質にしたり、ローラ15が書類群にかける圧力を調整するための重りまたはバネなどの弾性体を具備する方が望ましい。
【００１８】
画像保存タイマー部5について説明する。
撮像装置としてWebカメラやビデオカメラを使用して、画像の保存をパーソナルコンピュータなどで行う場合には、プリンタが書類群を排出する周期に合わせて一定周期で画像を保存する処理を繰り返せば良い。
また、撮像装置としてデジタルカメラのように本体に静止画を残すようなものを使用する場合には、デジタルカメラを連写モードにして、その周期をプリンタが書類群を排出する周期と合わせれば良い。
デジタルカメラの設定だけでは周期を合わせられない場合には、プリンタの設定を「きれいモード」などに切り替えることで、書類群が排出される周期を調節することができる。
【００１９】
画像変化検知部6について説明する。
画像保存タイマー部5でプリンタが書類群を排出する周期に合わせて画像を保存することで、書類群を電子データ化できるが、周期や撮影開始のタイミングの調整に注意を要する。
画像保存タイマー部5に簡易的な画像変化検出部を組み合わせることで、より簡単な操作で書類群の電子データ化が可能になる。
【００２０】
図7に画像保存タイマー部5に画像変化検出部を組み合わせた処理のフローチャートを示す。
まず、現時点で撮像装置から画像を取得し、画像Aとして一時的に保持する(S1)。
その後、プリンタが書類群を排出する周期よりも短い時間間隔で、撮像装置から画像を取得し、画像Bとして一時的に保持する(S2)。
そして、一時的に保持した画像Aと画像Bの全ての点(ピクセル)において、色の変化が大きい点の数をカウントする(S3)。
S3でカウントした数を閾値と比較して、画像に変化があったかどうかを判定する(S4)。
撮像装置が固定されていて、かつ、短い時間間隔で取得した画像であるため、通常はほとんど同じ画像になるので、色変化の大きさを測る閾値は小さくて良い。
ただし、明るさが変化しやすい場所などでは、閾値を大きくすることで誤検出を減らすことができる。
固定した撮像装置で撮影した画像なので、画像が変化するのは、書類群の新しいページが入ってきた瞬間ということになる。
画像が変化した瞬間で撮影してしまうと、新しいページの半分しか写らないという失敗をしてしまう。
従って、新しいページが入ってきたと検出されてから、そのページが書類群静止部2にぶつかって静止するのに十分な時間が経つまで待つ必要がある。
そのため、新しいページが入ってきたと検出してからタイマーのカウントを開始する(S5)
それから、新しいページが静止するのに十分な時間を待つ(S6)
この時間は、書類群の大きさやS1とS2の処理の間隔、S4の閾値にも寄るため、実際に動かしてみて設定する必要があるが、おおよそ1秒ぐらいになる。
設定した時間が経ったらもう一度画像を取得して、書類群の電子データとして画像保存部7に保存する(S7)。
保存が終わったらS1に戻り、次のページが来るのを待つことになる。
【実施例３】
【００２１】
実施例2では、リアルタイムに画像の変化を抽出して画像を保存する方法について述べた。
しかし、この方法では、撮像装置と画像の変化を検出する情報処理装置とを接続して動かす必要がある。
一般の家庭に普及しているデジタルカメラや、ビデオカメラの中には、パーソナルコンピュータなどと接続してリアルタイムに画像をパーソナルコンピュータへ送る機能があるものもあるが、こういった機能は必ずしも、備えているとは限らない。
そこで、本発明をより簡易に実現するには、撮像装置では、動画として撮影して記録しておき、後から、動画を処理して書類群の各ページを取り出すことも可能である。
処理の内容な実施例2と同様である。
【００２２】
図1に示す構成は、例えば、制御部はパーソナルコンピュータ上で動作するプログラムであり、撮像装置とはUSBなどのバスにより接続することで実現できる。
制御部と撮像装置とは、USB以外のバスや、LANやインターネットなどのネットワークを介して接続することもできる。
また、制御部もパーソナルコンピュータに限らず、サーバや専用の装置であってもいい。
本発明は、上記に述べた実施例に限定されるものではなく、本発明の要旨を逸脱しない範囲で様々な構成または形態を取ることができる。
【符号の説明】
【００２３】
１    書類群ガイド部
２    書類群静止部
３    撮像装置設置部
４    書類群配送部
５    画像保存タイマー部
６    画像変化検知部
７    画像保存部
９    撮像装置
１１  側面板
１２  底板
１３  長ネジ
１４  ナット
１５  ローラ
１６  駆動装置
【図１】
2013243430.tif 000003
【図２】
2013243430.tif 000004
【図３】
2013243430.tif 000005
【図４】
2013243430.tif 000006
【図５】
2013243430.tif 000007
【図６】
2013243430.tif 000008
【図７】
2013243430.tif 000009